(57)【特許請求の範囲】
【請求項１】
映像信号を処理して表示部に表示させる映像処理部と、無線により遠隔操作端末器から送信された操作信号を受信する複数の操作受信部と、該操作受信部で受信した操作信号により前記映像処理部を制御する制御部とを備える表示装置であって、
前記操作受信部のそれぞれに対応して接続され前記操作受信部の有効状態／無効状態を設定する設定部を備え、
前記設定部は、前記操作受信部のそれぞれに対応させて配置され隣接する他の表示装置の存在を検出する隣接検出部と、該隣接検出部の検出結果に対応させて前記操作受信部の有効状態／無効状態を設定する隣接対応制御信号を発生する隣接対応制御信号発生部とを備えること
を特徴とする表示装置。
【請求項２】
請求項１に記載の表示装置であって、
前記検出結果によって前記操作受信部の全てが無効状態とされる場合に、前記設定部は、前記操作受信部の少なくとも一つを特定して有効状態に設定する構成としてあること
を特徴とする表示装置。
【請求項３】
表示装置を複数並置して構成した複合表示装置であって、前記表示装置は、請求項１または請求項２に記載の表示装置であること
を特徴とする複合表示装置。
【請求項４】
映像信号を処理して表示部に表示させる映像処理部と、無線により遠隔操作端末器から送信された操作信号を受信する複数の操作受信部と、該操作受信部のそれぞれに対応して接続され前記操作受信部の有効状態／無効状態を設定する設定部と、前記映像処理部、前記操作受信部、前記設定部を制御する制御部とを備え、前記設定部は、前記操作受信部のそれぞれに対応させて配置され隣接する他の表示装置の存在を検出する隣接検出部と、該隣接検出部の検出結果に対応させて前記操作受信部の有効状態／無効状態を設定する隣接対応制御信号を発生する隣接対応制御信号発生部とを備える表示装置を複数並置して構成した複合表示装置の映像状態を調整する映像状態調整方法であって、
前記設定部を機能させて前記操作受信部それぞれの有効状態／無効状態を設定する操作受信部状態設定過程と、
有効状態に設定された前記操作受信部に対して前記遠隔操作端末器から操作信号を送信することによって映像状態を調整する映像状態調整過程と
を備えることを特徴とする映像状態調整方法。
【請求項５】
前記操作受信部状態設定過程では、前記隣接検出部によって隣接する他の表示装置の存在が検出されたとき前記操作受信部は無効状態とされること
を特徴とする請求項４に記載の映像状態調整方法。
【発明の詳細な説明】
【技術分野】
【０００１】
本発明は、遠隔端末装置から送信された操作信号を受信する複数の操作受信部を備える表示装置、このような表示装置を複数並置して構成した複合表示装置、このような複合表示装置の映像状態調整方法に関する。
【背景技術】
【０００２】
液晶表示装置に代表されるように、表示装置の大型化が進んでいる。また、表示装置の操作性を向上させるために遠隔操作端末器（リモートコントローラ。いわゆるリモコン）を適用して操作する形態とされることが多い。特に、表示装置の大型化に伴い、操作性の向上が求められることから、ほとんどの表示装置は遠隔操作端末器による操作によって制御される形態としてある。
【０００３】
遠隔操作端末器は、表示装置に設けた操作受信部に例えば赤外信号光を送信することによって操作信号を送信し表示装置を操作する形態としてある。また、遠隔操作端末器からの送信信号である赤外信号光は周囲への影響、操作の高精度化などを考慮して指向性を持たせてある。したがって、表示装置の表示画面の大型化に伴い、操作受信部の配置が表示装置の全体に対して相対的に限定された状態となり遠隔操作端末器による操作性が低下する状況が生じている。
【０００４】
図２２は、従来の表示装置での操作受信部の配置状態を示し、（Ａ）は２箇所に操作受信部を配置した状態、（Ｂ）は４箇所に操作受信部を配置した状態を示す正面図である。
【０００５】
２箇所に操作受信部を配置した場合（同図（Ａ））、表示装置１０１は、表示部１１２の周囲に額縁状枠体を備え、額縁状枠体に例えば右上に右上操作受信部１５０ＲＵ、右下に右下操作受信部１５０ＲＤを備える。
【０００６】
また、４箇所に操作受信部を配置した場合（同図（Ｂ））、表示装置１０１は、額縁状枠体に例えば右上に右上操作受信部１５０ＲＵ、右下に右下操作受信部１５０ＲＤ、左上に左上操作受信部１５０ＬＵ、左下に左下操作受信部１５０ＬＤを備える。以下、右上操作受信部１５０ＲＵ、右下操作受信部１５０ＲＤ、左上操作受信部１５０ＬＵ、左下操作受信部１５０ＬＤを区別する必要が無い場合は、単に操作受信部１５０とすることがある。
【０００７】
このように、１台の表示装置１０１に対して複数の操作受信部１５０を配置することによって、遠隔操作端末器からの操作信号の受信範囲を拡大して遠隔操作端末器による操作性を向上させている。
【０００８】
図２３は、従来の表示装置を複数（４台）並置して構成した複合表示装置を示す正面図である。
【０００９】
それぞれの表示装置１０１は、例えば４隅に操作受信部１５０を配置してある。つまり、図２２（Ｂ）で示したように、右上に右上操作受信部１５０ＲＵ、右下に右下操作受信部１５０ＲＤ、左上に左上操作受信部１５０ＬＵ、左下に左下操作受信部１５０ＬＤを備える。
【００１０】
したがって、表示装置１０１が相互に隣接する辺では、操作受信部１５０も近接した状態となる。例えば、複合表示装置１０１ＭＣの中央の縦方向では、４隅（４箇所）の内、２箇所ずつが対向、近接する状態となる。
【００１１】
したがって、複合表示装置１０１ＭＣの右下に配置された表示装置１０１に対して操作を施す意図のもとで、遠隔操作端末器１９０から操作信号（赤外信号光ＩＲ）を送信した場合、複合表示装置１０１ＭＣの右下に配置された表示装置１０１の左下操作受信部１５０ＬＤだけが受信すれば良いときであっても、複合表示装置１０１ＭＣの左下に配置された表示装置１０１の右下操作受信部１５０ＲＤが同様に操作信号を受信することが有る。つまり、操作する必要の無い複合表示装置１０１ＭＣの左下の表示装置１０１での右下操作受信部１５０ＲＤが意図に反して誤作動してしまうという問題が生じる。
【００１２】
従来は、このような問題に対応するために、操作受信部１５０の表面を被覆して遮蔽し遠隔操作端末器１９０からの操作信号を受け付けない状態としたり、また、遠隔操作端末器１９０を表示装置１０１に近接させて指向性の範囲を縮小して操作することによって対応していた。したがって、操作性が低下するという問題があった。
【００１３】
なお、表示装置を複数並置して複合表示装置を構成した例として、例えば特許文献１が知られている。
【特許文献１】特開２００６−３３７４８２号公報
【発明の開示】
【発明が解決しようとする課題】
【００１４】
本発明はこのような状況に鑑みてなされたものであり、無線により遠隔操作端末器から送信された操作信号を受信する複数の操作受信部を備える表示装置であって、操作受信部のそれぞれに対応して接続され操作受信部の有効状態／無効状態を設定する設定部を備えることにより、操作受信部の有効状態／無効状態を容易かつ確実に設定することができ、複数の操作受信部を備える表示装置を複数並置して複合表示装置とした場合に操作受信部の混同による誤作動の発生を確実に防止することが可能な表示装置を提供することを目的とする。
【００１５】
また、本発明は、表示装置を複数配置して構成した複合表示装置であって、表示装置を本発明に係る表示装置で構成することにより、操作受信部の有効状態／無効状態を容易かつ確実に設定することが可能で、遠隔操作端末器による操作性が良く、操作受信部の混同による誤動作の生じない複合表示装置を提供することを他の目的とする。
【００１６】
また、本発明は、表示装置を複数並置して構成した複合表示装置の映像状態を調整する映像状態調整方法であって、設定部を機能させて操作受信部それぞれの有効状態／無効状態を設定する操作受信部状態設定過程と、有効状態に設定された操作受信部に対して遠隔操作端末器から操作信号を送信することによって映像状態を調整する映像状態調整過程とを備えることにより、複数配置された操作受信部の有効状態／無効状態を容易かつ確実に設定でき、操作受信部の有効状態／無効状態を設定した後に映像状態の調整を実行できることから、操作受信部の混合による誤動作を防止することが可能となり、容易かつ正確に映像状態の調整を実行することができる複合表示装置の映像状態調整方法を提供することを他の目的とする。
【課題を解決するための手段】
【００１７】
本発明に係る表示装置は、映像信号を処理して表示部に表示させる映像処理部と、無線により遠隔操作端末器から送信された操作信号を受信する複数の操作受信部と、該操作受信部で受信した操作信号により前記映像処理部を制御する制御部とを備える表示装置であって、前記操作受信部のそれぞれに対応して接続され前記操作受信部の有効状態／無効状態を設定する設定部を備え、前記設定部は、前記操作受信部のそれぞれに対応させて配置され隣接する他の表示装置の存在を検出する隣接検出部と、該隣接検出部の検出結果に対応させて前記操作受信部の有効状態／無効状態を設定する隣接対応制御信号を発生する隣接対応制御信号発生部とを備えることを特徴とする。
【００１８】
この構成により、操作受信部の有効状態／無効状態を容易かつ確実に設定することができることから、複数の操作受信部を備える表示装置を複数並置して複合表示装置とした場合に操作受信部の混同による誤作動の発生を確実に防止することが可能となる。また、隣接検出部によって容易かつ確実に隣接する表示装置を検出し、それぞれの操作受信部の有効状態／無効状態を自動的に設定することが可能となることから、複数の操作受信部を備える表示装置を複数並置して複合表示装置とした場合に、隣接する表示装置相互間での操作受信部の混同による誤動作を防止することができる。
【００２３】
また、本発明に係る表示装置では、前記検出結果によって前記操作受信部の全てが無効状態とされる場合に、前記設定部は、前記操作受信部の少なくとも一つを特定して有効状態に設定する構成としてあることを特徴とする。
【００２４】
この構成により、上下左右の全方向に表示装置が隣接して配置された場合に、少なくとも一つの操作受信部を有効状態にできることから、周囲を表示装置に囲まれた表示装置の操作受信部を確実に機能させることが可能となり、操作性の良い表示装置とすることができる。
【００２７】
また、本発明に係る複合表示装置は、表示装置を複数並置して構成した複合表示装置であって、前記表示装置は、本発明に係る表示装置であることを特徴とする。
【００２８】
この構成により、操作受信部の有効状態／無効状態を容易かつ確実に設定することが可能で、遠隔操作端末器による操作性が良く、操作受信部の混同による誤動作の生じない複合表示装置とすることが可能となる。
【００２９】
また、本発明に係る複合表示装置の映像状態調整方法は、映像信号を処理して表示部に表示させる映像処理部と、無線により遠隔操作端末器から送信された操作信号を受信する複数の操作受信部と、該操作受信部のそれぞれに対応して接続され前記操作受信部の有効状態／無効状態を設定する設定部と、前記映像処理部、前記操作受信部、前記設定部を制御する制御部とを備え、前記設定部は、前記操作受信部のそれぞれに対応させて配置され隣接する他の表示装置の存在を検出する隣接検出部と、該隣接検出部の検出結果に対応させて前記操作受信部の有効状態／無効状態を設定する隣接対応制御信号を発生する隣接対応制御信号発生部とを備える表示装置を複数並置して構成した複合表示装置の映像状態を調整する映像状態調整方法であって、前記設定部を機能させて前記操作受信部それぞれの有効状態／無効状態を設定する操作受信部状態設定過程と、有効状態に設定された前記操作受信部に対して前記遠隔操作端末器から操作信号を送信することによって映像状態を調整する映像状態調整過程とを備えることを特徴とする。また、前記操作受信部状態設定過程では、前記隣接検出部によって隣接する他の表示装置の存在が検出されたとき前記操作受信部は無効状態とされる。
【００３０】
この構成により、複数配置された操作受信部の有効状態／無効状態を容易かつ確実に設定でき、操作受信部の有効状態／無効状態を設定した後に映像状態の調整を実行できることから、操作受信部の混合による誤動作を防止することが可能となり、容易かつ正確に映像状態の調整を実行することができる。また、複数の操作受信部を備える表示装置を複数並置して複合表示装置とした場合に、隣接する表示装置相互間での操作受信部の混同による誤動作を防止することができる。
【発明の効果】
【００３１】
本発明に係る表示装置によれば、無線により遠隔操作端末器から送信された操作信号を受信する複数の操作受信部を備える表示装置であって、前記操作受信部のそれぞれに対応して接続され前記操作受信部の有効状態／無効状態を設定する設定部を備えることことから、操作受信部の有効状態／無効状態を容易かつ確実に設定することができ、複数の操作受信部を備える表示装置を複数並置して複合表示装置とした場合に操作受信部の混同による誤作動の発生を確実に防止することが可能となるという効果を奏する。
【００３２】
また、本発明に係る複合表示装置によれば、表示装置を複数並置して構成した複合表示装置であって、前記表示装置は、本発明に係る表示装置とすることから、操作受信部の有効状態／無効状態を容易かつ確実に設定することが可能で、遠隔操作端末器による操作性が良く、操作受信部の混同による誤動作の生じない複合表示装置とすることが可能となるという効果を奏する。
【００３３】
また、本発明に係る複合表示装置の映像状態調整方法によれば、無線により遠隔操作端末器から送信された操作信号を受信する複数の操作受信部と、該操作受信部のそれぞれに対応して接続され前記操作受信部の有効状態／無効状態を設定する設定部とを備える表示装置を複数並置して構成した複合表示装置の映像状態を調整する映像状態調整方法であって、前記設定部を機能させて前記操作受信部それぞれの有効状態／無効状態を設定する操作受信部状態設定過程と、有効状態に設定された前記操作受信部に対して前記遠隔操作端末器から操作信号を送信することによって映像状態を調整する映像状態調整過程とを備えることから、複数配置された操作受信部の有効状態／無効状態を容易かつ確実に設定でき、操作受信部の有効状態／無効状態を設定した後に映像状態の調整を実行できることから、操作受信部の混合による誤動作を防止することが可能となり、容易かつ正確に映像状態の調整を実行することができるという効果を奏する。
【発明を実施するための最良の形態】
【００３４】
以下、本発明の実施の形態を図面に基づいて説明する。
【００３５】
＜実施の形態１＞
図１ないし図４に基づいて、実施の形態１に係る表示装置について説明する。
【００３６】
図１は、本発明の実施の形態１に係る表示装置の外観概要を示す正面図である。
【００３７】
図２は、本発明の実施の形態１に係る表示装置のブロック構成概略を示すブロック図である。
【００３８】
本実施の形態に係る表示装置１は、基本的な構成として、映像信号を処理して表示部１２に表示させる映像処理部１１と、無線により遠隔操作端末器９０から送信された操作信号（例えば赤外信号光ＩＲ）を受信する複数の操作受信部５０と、操作受信部５０で受信した操作信号により映像処理部１１を制御する制御部１０とを備える。また、表示装置１は、操作受信部５０のそれぞれに対応して接続され操作受信部５０の有効状態／無効状態を設定する設定部３０を備える。
【００３９】
したがって、操作受信部５０の有効状態／無効状態を容易かつ確実に設定することができることから、複数の操作受信部５０を備える表示装置１を複数並置して複合表示装置１ＭＣ（実施の形態３、図１０参照）とした場合に操作受信部５０の混同による誤作動の発生を確実に防止することが可能となる。
【００４０】
なお、複数の操作受信部５０は、表示装置１を正面から見た状態で、矩形状の表示装置１の例えば四隅に配置してある。四隅に配置することで、効率的に遠隔操作端末器９０からの操作信号を受信することが可能となる。
【００４１】
つまり、操作受信部５０は、表示装置１の正面の右上隅部に配置された右上操作受信部５０ＲＵ、右下隅部に配置された右下操作受信部５０ＲＤ、左上隅部に配置された左上操作受信部５０ＬＵ、左下隅部に配置された左下操作受信部５０ＬＤで構成してある。複数の操作受信部５０は、例えば４箇所に配置した場合を例示するがこれに限るものではない。
【００４２】
右上操作受信部５０ＲＵ、右下操作受信部５０ＲＤ、左上操作受信部５０ＬＵ、左下操作受信部５０ＬＤをそれぞれ区別する必要がない場合は、単に操作受信部５０と記載することがある。
【００４３】
表示装置１は、表示部１２で映像を表示することから、映像処理部１１に対応させてキャラクタージェネレーション部１３、ビデオスイッチ部１４、映像入力端子部１５、フレームメモリー部１６を備える。これらは、一般的に知られている表示装置が備えるものであるので、詳細な説明は省略する。
【００４４】
映像処理部１１は、バスＢＳを介して制御部１０に接続され、必要に応じて信号処理を実行する構成としてある。
【００４５】
表示装置１は、複合表示装置１ＭＣとされたときに、隣接する表示装置１を検出する隣接検出部４０を操作受信部５０に対応させて備える。隣接検出部４０は、操作受信部５０に対応させて配置してある。したがって、表示装置１を正面から見た状態で、右上隅部に配置され右上操作受信部５０ＲＵに対応する右上隣接検出部４０ＲＵ、右下隅部に配置され右下操作受信部５０ＲＤに対応する右下隣接検出部４０ＲＤ、左上隅部に配置され左上操作受信部５０ＬＵに対応する左上隣接検出部４０ＬＵ、左下隅部に配置され左下操作受信部５０ＬＤに対応する左下隣接検出部４０ＬＤで構成してある。複数の隣接検出部４０は、操作受信部５０に対応させて、例えば４箇所に配置した場合を例示する。
【００４６】
また、隣接検出部４０の動作を容易かつ確実に実行させるために、表示装置１を相互に隣接配置させたときに対向する位置に隣接検出部４０を駆動する隣接検出部駆動手段４１ｍが配置してある。例えば、隣接検出部４０をリードスイッチで構成した場合、表示装置１を相互に隣接させたとき、リードスイッチに対向する位置にリードスイッチを駆動する磁石を隣接検出部駆動手段４１ｍとして配置してある。リードスイッチおよび磁石による検出を行なうことから、表示装置１を相互に隣接した場合に、相互間の位置が多少ずれたときでも高精度に隣接検出部４０を機能させることが可能である。
【００４７】
なお、磁石によって駆動されるリードスイッチ以外の検出部品によって隣接検出部４０を構成した場合は、隣接検出部駆動手段４１ｍを必要としない場合もある。
【００４８】
表示装置１は、制御部１０にバスＢＳを介して接続される記憶部２０を備える。記憶部２０には、制御部１０に設定部３０、隣接検出部４０、操作受信部５０を制御させるために必要なコンピュータプログラムが予めインストールしてある。
【００４９】
また、記憶部２０は、データを一時的に記憶する記憶手段としても機能し、各種データ（隣接検出部４０および操作受信部５０の配置情報、表示装置１を複数並置した場合の自機の全体に対する配置情報、設定部３０、隣接検出部４０、実施の形態３で設定する設定パターン（図９（Ｃ）参照）、実施の形態４で検出する隣接検出部の検出結果（図１６、図１７参照）、操作受信部５０相互の関係を規定する情報など）を記憶させてある。
【００５０】
図３は、本発明の実施の形態１に係る表示装置で実行する操作受信部の有効状態／無効状態を設定する場合の適用シーケンスの選択フローを示すフローチャートである。
【００５１】
本実施の形態に係る表示装置１では、ステップＳ１０１ないしステップＳ１０６で示すとおり、３種類のシーケンスで操作受信部５０の有効状態／無効状態を設定、制御することが可能である。
【００５２】
ステップＳ１０１：
操作受信部５０を無効状態にするか否かを判断する。無効状態とする場合（ステップＳ１０１：ＹＥＳ）は、ステップＳ１０２へ移行する。例えば、表示装置１を複数配置した場合、異なる表示装置１の操作受信部５０が近接して遠隔操作端末器９０からの操作信号に対して誤動作を生じるときなどに操作受信部５０を無効状態として設定する必要がある。
【００５３】
なお、無効状態としない場合（ステップＳ１０１：ＮＯ）は、処理を終了する。
【００５４】
ステップＳ１０２：
第１番目のシーケンスとしての外付け設定手段ＳＷ（図４、実施の形態２参照）による設定を行なうか否かを判断する。外付け設定手段ＳＷによる設定を適用する場合（ステップＳ１０２：ＹＥＳ）は、ステップＳ１０４へ移行する。外付け設定手段ＳＷによる設定を適用しない場合（ステップＳ１０２：ＮＯ）はステップＳ１０３へ移行する。
【００５５】
ステップＳ１０３：
第２番目のシーケンスとしての設定パターン（実施の形態３参照）による設定を行なうか否かを判断する。設定パターンによる設定を適用する場合（ステップＳ１０３：ＹＥＳ）は、ステップＳ１０５へ移行する。設定パターンによる設定を適用しない場合（ステップＳ１０３：ＮＯ）は、ステップＳ１０６へ移行する。
【００５６】
ステップＳ１０４：
外付け設定手段ＳＷによる操作受信部５０の有効状態／無効状態の設定を実行する（実施の形態２参照）。
【００５７】
ステップＳ１０５：
設定パターンによる操作受信部５０の有効状態／無効状態の設定を実行する（実施の形態３参照）。
【００５８】
ステップＳ１０６：
第３番目のシーケンスとしての隣接検出部４０による操作受信部５０の有効状態／無効状態の設定を実行する（実施の形態４参照）。
【００５９】
図４は、本発明の実施の形態１に係る表示装置で操作受信部の有効状態／無効状態を設定する設定部を説明する説明図であり、（Ａ）は設定部の概略構成ブロックを示すブロック図、（Ｂ）は設定部での信号状況を示す信号図表である。
【００６０】
設定部３０は、スリーステートバッファで構成した設定ゲート３１と、設定ゲート３１の制御端子３１ｔに制御信号Ｃｓを印加する制御信号発生部３３と、制御端子３１ｔを強制的に例えば接地電位に固定する外付け設定手段ＳＷとを備える。
【００６１】
なお、上述したとおり、操作受信部５０は、例えば４箇所に配置してあることから、設定部３０もそれぞれに対応して接続されるが、いずれも同様に動作するので操作受信部５０の配置位置に関係なく一つとして説明する。
【００６２】
操作受信部５０からの信号は、設定ゲート３１の入力端に入力され、設定ゲート３１の出力端から出力され制御部１０に伝達される。したがって、設定ゲート３１を開閉（オンオフ）することによって、操作受信部５０からの信号を通過させる状態（有効状態）と通過させない状態（無効状態）とに切り替えることが可能である。設定ゲート３１の開閉は、制御端子３１ｔに印加する信号によって制御される。
【００６３】
制御端子３１ｔは、バイアス抵抗３２を介して電源電圧Ｖｃｃに接続され、また、制御信号発生部３３、外付け設定手段ＳＷに接続されている。つまり、制御信号発生部３３、外付け設定手段ＳＷから設定ゲート３１の制御端子３１ｔに印加される信号によって、設定ゲート３１の開閉を制御する構成としてある。
【００６４】
つまり、本実施の形態では、操作受信部５０からの信号が設定ゲート３１を通過して制御部１０に伝達される状態とすることによって操作受信部５０を有効状態に設定し、操作受信部５０からの信号が設定ゲート３１を通過できない状態とすることによって操作受信部５０を無効状態に設定する。
【００６５】
外付け設定手段ＳＷは、例えば機構的に端子間接続のオンオフを切り替えることが可能なスイッチであり、４箇所の操作受信部５０に対応するものをまとめて例えばＤＩＰスイッチで構成してある。外付け設定手段ＳＷは、実施の形態２で示す態様で操作受信部５０を有効状態とする場合にオンとされる。
【００６６】
つまり、外付け設定手段ＳＷをオンすることによって、制御端子３１ｔは、接地電位に固定されＬ（Ｌｏｗ）状態となる。したがって、設定ゲート３１は、操作受信部５０からの信号を通過させることが可能な状態とされる。したがって、外付け設定手段ＳＷをオンすることによって、制御信号ＣＳの状態に関係なく、外部から機構的に操作受信部５０を有効状態に設定することができる（同図（Ｂ）参照）。
【００６７】
制御信号発生部３３は、設定パターン対応制御信号発生部３３ｐ、隣接対応制御信号発生部３３ｎを備える。隣接対応制御信号発生部３３ｎは、隣接する他の表示装置１の存在を検出する隣接検出部４０の検出結果を入力する構成としてある。
【００６８】
設定パターン対応制御信号発生部３３ｐは、予め設定された設定パターンに対応させて操作受信部５０の有効状態／無効状態を設定する設定パターン対応制御信号ＣＳｐを発生する（実施の形態３参照）。隣接対応制御信号発生部３３ｎは、隣接する他の表示装置１の存在を検出する隣接検出部４０の検出結果に対応させて操作受信部５０の有効状態／無効状態を設定する隣接対応制御信号ＣＳｎを発生する（実施の形態４参照）。なお、設定パターン対応制御信号ＣＳｐと隣接対応制御信号ＣＳｎを区別する必要が無い場合には、単に制御信号ＣＳとすることがある。
【００６９】
制御信号ＣＳ（設定パターン対応制御信号ＣＳｐまたは隣接対応制御信号ＣＳｎ）がＬ（Ｌｏｗ）状態の信号のときは、上述した外付け設定手段ＳＷがオンの場合と同様に制御端子３１ｔは、Ｌ（Ｌｏｗ）状態となる。したがって、設定ゲート３１は操作受信部５０からの信号を制御部１０へ伝達できる状態となる。つまり、操作受信部５０は有効状態に設定されたこととなる（同図（Ｂ）参照）。
【００７０】
制御信号ＣＳ（設定パターン対応制御信号ＣＳｐまたは隣接対応制御信号ＣＳｎ）がＨ（Ｈｉｇｈ）状態の信号のときは、上述した場合と異なり、制御端子３１ｔは、Ｈ（Ｈｉｇｈ）状態となる。したがって、設定ゲート３１は操作受信部５０からの信号を制御部１０へ伝達できない状態となる。つまり、操作受信部５０は無効状態に設定されたこととなる（同図（Ｂ）参照）。
【００７１】
＜実施の形態２＞
図５ないし図７に基づいて、実施の形態２に係る表示装置１について説明する。
【００７２】
本実施の形態は、上述したとおり、操作受信部５０の有効状態／無効状態の設定を外付け設定手段ＳＷによって実行する形態としたものである。
【００７３】
図５は、本発明の実施の形態２に係る表示装置で外付け設定手段を適用して操作受信部の有効状態／無効状態を設定する設定部のブロック構成概略を示すブロック図である。
【００７４】
設定部３０は、操作受信部５０と制御部１０との間に接続され操作受信部５０の有効状態／無効状態を外部から機構的に設定する外付け設定手段ＳＷを備える。なお、設定部３０に配置された設定ゲート３１は、外付け設定手段ＳＷによって制御され、操作受信部５０を有効状態とした場合は、操作受信部５０からの信号の単なる経路として動作し、また、操作受信部５０を無効状態とした場合は、操作受信部５０からの信号を停止するように動作することから図示を省略してある。
【００７５】
操作受信部５０は、上述したとおり、右上操作受信部５０ＲＵ、右下操作受信部５０ＲＤ、左上操作受信部５０ＬＵ、左下操作受信部５０ＬＤとして配置してある。また、右上操作受信部５０ＲＵ、右下操作受信部５０ＲＤ、左上操作受信部５０ＬＵ、左下操作受信部５０ＬＤのそれぞれに対応させて、右上外付け設定手段ＳＷ・ＲＵ、右下外付け設定手段ＳＷ・ＲＤ、左上外付け設定手段ＳＷ・ＬＵ、左下外付け設定手段ＳＷ・ＬＤが接続してある。
【００７６】
したがって、端子間の経路を機構的にオンオフするＤＩＰスイッチで設定部３０を構成することから、操作受信部５０の有効状態／無効状態を外部から機構的に容易かつ確実に設定することが可能となり、操作受信部の誤作動の発生を容易に防止することができる。
【００７７】
つまり、操作受信部５０を有効状態にしたい場合は、外付け設定手段ＳＷをオンして制御端子３１ｔの電位をＬ（Ｌｏｗ：接地状態）とし、操作受信部５０を無効状態にしたい場合は、外付け設定手段ＳＷをオフして制御端子３１ｔの電位をＨ（Ｈｉｇｈ：電源電位状態）とする。
【００７８】
図６は、本発明の実施の形態２に係る表示装置で外付け設定手段を適用して操作受信部の有効状態／無効状態を設定する場合での外付け設定手段と操作受信部の相関状態を概念的に示す正面図である。
【００７９】
ステップＳ１０４（図３参照）の選択の後、例えば、左上に配置された左上操作受信部５０ＬＵのみを有効状態に設定し、他の操作受信部５０（右上操作受信部５０ＲＵ、右下操作受信部５０ＲＤ、左下操作受信部５０ＬＤ）を無効状態とした状態を示す。有効状態を「丸」印で、無効状態を「×」印で示してある。
【００８０】
操作受信部５０を上述した状態にするために、設定部３０に配置され外部から機構的に設定された外付け設定手段ＳＷの状態を示してある。左上外付け設定手段ＳＷ・ＬＵのみがスイッチオン状態とされ、他の外付け設定手段ＳＷ（右上外付け設定手段ＳＷ・ＲＵ、右下外付け設定手段ＳＷ・ＲＤ、左下外付け設定手段ＳＷ・ＬＤ）はスイッチオフ状態としてある。
【００８１】
外付け設定手段ＳＷは、例えば、表示装置１の裏側の適宜に位置に外部から制御することができる状態で露出させて設けることが可能である。なお、操作性を向上させるため、４つの外付け設定手段ＳＷをまとめたＤＩＰスイッチとすることが望ましい。
【００８２】
図７は、本発明の実施の形態２に係る表示装置で外付け設定手段を適用して操作受信部の有効状態／無効状態を設定する場合の処理フローを示すフローチャートである。
【００８３】
先ず、表示装置１の外部から外付け設定手段ＳＷに対する操作がなされ、外付け設定手段ＳＷは、オンオフいずれかの状態に設定される（操作受信部状態設定過程）。この状態のもとで、次のステップＳ２１０ないしステップＳ２１３の処理フローが制御部１０の制御によって実行され、結果は記憶部２０に操作受信部５０の設定状態として一時記憶される。
【００８４】
ステップＳ２０１：
外付け設定手段ＳＷの状態を読み込む。つまり、外付け設定手段ＳＷがオンオフいずれの状態に設定されているのかの読み込みを開始する。
【００８５】
ステップＳ２０２：
右上外付け設定手段ＳＷ・ＲＵはオンか否かを判断する。オン状態の場合（ステップＳ２０２：ＹＥＳ）は、ステップＳ２０３へ移行する。オン状態でない、つまりオフ状態の場合（ステップＳ２０２：ＮＯ）は、ステップＳ２０４へ移行する。
【００８６】
ステップＳ２０３：
右上操作受信部５０ＲＵは、有効状態とされている。
【００８７】
ステップＳ２０４：
右上操作受信部５０ＲＵは、無効状態とされている。
【００８８】
ステップＳ２０５：
右下外付け設定手段ＳＷ・ＲＤはオンか否かを判断する。オン状態の場合（ステップＳ２０５：ＹＥＳ）は、ステップＳ２０６へ移行する。オン状態でない、つまりオフ状態の場合（ステップＳ２０５：ＮＯ）は、ステップＳ２０７へ移行する。
【００８９】
ステップＳ２０６：
右下操作受信部５０ＲＤは、有効状態とされている。
【００９０】
ステップＳ２０７：
右下操作受信部５０ＲＤは、無効状態とされている。
【００９１】
ステップＳ２０８：
左上外付け設定手段ＳＷ・ＬＵはオンか否かを判断する。オン状態の場合（ステップＳ２０８：ＹＥＳ）は、ステップＳ２０９へ移行する。オン状態でない、つまりオフ状態の場合（ステップＳ２０８：ＮＯ）は、ステップＳ２１０へ移行する。
【００９２】
ステップＳ２０８：
左上外付け設定手段ＳＷ・ＬＵはオンか否かを判断する。オン状態の場合（ステップＳ２０８：ＹＥＳ）は、ステップＳ２０９へ移行する。オン状態でない、つまりオフ状態の場合（ステップＳ２０８：ＮＯ）は、ステップＳ２１０へ移行する。
【００９３】
ステップＳ２０９：
左上操作受信部５０ＬＵは、有効状態とされている。
【００９４】
ステップＳ２１０：
左上操作受信部５０ＬＵは、無効状態とされている。
【００９５】
ステップＳ２１１：
左下外付け設定手段ＳＷ・ＬＤはオンか否かを判断する。オン状態の場合（ステップＳ２１１：ＹＥＳ）は、ステップＳ２１２へ移行する。オン状態でない、つまりオフ状態の場合（ステップＳ２１１：ＮＯ）は、ステップＳ２１３へ移行する。
【００９６】
ステップＳ２１２：
左下操作受信部５０ＬＤは、有効状態とされている。
【００９７】
ステップＳ２１３：
左下操作受信部５０ＬＤは、無効状態とされている。
【００９８】
なお、上述したとおり、外付け設定手段ＳＷの設定状態がそのままステップＳ２０１ないしステップＳ２１３の処理フローに対応する。外付け設定手段ＳＷの設定状態を制御部１０で把握することによって、操作受信部５０からの信号に対する処理を実行することとなる。
【００９９】
また、本実施の形態に係る表示装置１を複数並置して複合表示装置１ＭＣ（例えば、図１０参照）を構成することが可能である。
【０１００】
＜実施の形態３＞
図８ないし図１４に基づいて、実施の形態３に係る表示装置１、複合表示装置１ＭＣについて説明する。
【０１０１】
本実施の形態は、上述したとおり、操作受信部５０の有効状態／無効状態の設定を予め設定した設定パターンに対応させて実行する形態としたものである。
【０１０２】
図８は、本発明の実施の形態３に係る表示装置でオンスクリーンディスプレイを適用して設定パターンを選択して操作受信部の有効状態／無効状態を設定する場合の処理フローを示すフローチャートである。
【０１０３】
図９は、図８に示したフローチャートに伴う処理状態を説明する説明図であり、（Ａ）はマルチ画面構成を選択するマルチ画面構成選択メニュー画面、（Ｂ）は設定対象表示装置を選択する設定対象表示装置選択メニュー画面、（Ｃ）は設定対象表示装置に対する操作受信部の有効状態／無効状態を選択させる設定パターン指定メニュー画面、（Ｄ）は設定パターンに基づいて有効状態／無効状態を設定された表示装置を示す正面図である。
【０１０４】
ステップＳ１０５（図３参照）の選択の後、次のステップＳ３０１ないしステップＳ３０５に基づいてオンスクリーンディスプレイ（ＯＳＤ）を適用した設定パターンの選択が実行される。なお、図８の各ステップの説明に併せて対応する図９の説明を行なう。
【０１０５】
ステップＳ３０１：
先ず、表示装置１が有するＯＳＤ機能を起動させ、ＯＳＤメニューを表示させる。
【０１０６】
ステップＳ３０２：
表示されたＯＳＤメニューの中からマルチ画面構成の選択がなされたか否かを判断する。マルチ画面構成の選択がなされた場合（ステップＳ３０２：ＹＥＳ）は、マルチ画面構成選択メニュー画面ＤＭ１（図９（Ａ）参照）が表示される。したがって、マルチ画面構成状況を入力することとなる。
【０１０７】
例えば、縦構成はＭ行、横構成はＮ列として入力される。つまり、「Ｍ行×Ｎ列」のマトリックス構成の複合表示装置１ＭＣ（図１０参照）が制御の対象であることが確定される。マルチ画面構成選択メニュー画面ＤＭ１への入力がされた後、ステップＳ３０３へ移行する。選択と数値入力は、遠隔操作端末器９０を適用して画面上のポインタなどを適宜制御して実行することが可能である。
【０１０８】
マルチ画面構成の選択がされなかった場合（ステップＳ３０２：ＮＯ）は、ステップＳ３０４へ移行する。
【０１０９】
ステップＳ３０３：
マルチ画面の構成が「Ｍ行×Ｎ列」として確定されたことから、制御対象としての表示装置１に対してマトリックス上の位置が割り当てられた設定対象表示装置選択メニュー画面ＤＭ２（図９（Ｂ）参照）が表示される。つまり、マトリックス上の位置を表す「行番号・列番号」を付与された状態の表示装置１が明示される。したがって、操作受信部５０の有効状態／無効状態を設定する対象としての表示装置１を選択することが可能となる。なお、「行番号・列番号」ではなく、一連の連続番号を付与する形態とすることも可能である（例えば、図１０参照）。ここでは、マトリックス上の配置との関係を明確にするために「行番号・列番号」として例示したに過ぎない。
【０１１０】
設定対象表示装置が選択されたか否かを判断する。設定対象表示装置が選択された場合（ステップＳ３０３：ＹＥＳ）は、ステップＳ３０５へ移行する。図９（Ｂ）では、行列位置が「２×２」に対応する表示装置１を設定対象として選択した状態を例示してある。
【０１１１】
設定対象表示装置が選択されなかった場合（ステップＳ３０３：ＮＯ）は、処理を終了する。
【０１１２】
ステップＳ３０４：
設定対象表示装置が選択されたことから、設定パターン指定メニュー画面ＤＭ３（図９（Ｃ）参照）が表示される。設定パターン指定メニュー画面ＤＭ３には、制御対象としての操作受信部５０とオンオフの選択スイッチ３４が画面上にボタンスイッチとして配置されている。
【０１１３】
選択された表示装置１（例えば、上述した行列「２×２」の位置に対応する表示装置１）に対して、操作受信部５０（右上操作受信部５０ＲＵ、右下操作受信部５０ＲＤ、左上操作受信部５０ＬＵ、左下操作受信部５０ＬＤ）の有効状態／無効状態を設定する。
【０１１４】
図９（Ｃ）では、左上操作受信部５０ＬＵに対応する選択スイッチ３４をオンして、左上操作受信部５０ＬＵを有効状態とし、右上操作受信部５０ＲＵ、右下操作受信部５０ＲＤ、左下操作受信部５０ＬＤに対応する選択スイッチ３４をオフして、右上操作受信部５０ＲＵ、右下操作受信部５０ＲＤ、左下操作受信部５０ＬＤを無効状態とした状態を示してある。
【０１１５】
つまり、設定パターン指定メニュー画面ＤＭ３の状態で設定パターン（左上操作受信部５０ＬＵを有効状態とし、右上操作受信部５０ＲＵ、右下操作受信部５０ＲＤ、左下操作受信部５０ＬＤを無効状態とした設定パターン）が予め指定された状態となる。なお、設定パターンは、次回の更新がなされるまで、適宜記憶部２０に一時記憶させておくことが可能である。
【０１１６】
ステップＳ３０５：
設定パターン指定メニュー画面ＤＭ３で指定された設定パターンに基づいて、操作受信部５０の有効状態／無効状態が設定される（操作受信部状態設定過程）。つまり、設定パターン対応制御信号発生部３３ｐは、設定パターンに対応させて、設定パターン対応制御信号ＣＳｐを発生する。
【０１１７】
設定パターン対応制御信号ＣＳｐのＨ（Ｈｉｇｈ）、Ｌ（Ｌｏｗ）を設定パターンに対応させて制御することによって、設定ゲート３１の開閉を制御し、操作受信部５０からの信号を通過させる状態（有効状態）と通過させない状態（無効状態）とに切り替える。
【０１１８】
つまり、右上操作受信部５０ＲＵに対応する設定パターン対応制御信号ＣＳｐは、右上操作受信部５０ＲＵを無効状態とする必要があることから、Ｈ（Ｈｉｇｈ）状態とされる（図４（Ｂ）参照）。右下操作受信部５０ＲＤに対応する設定パターン対応制御信号ＣＳｐは、右下操作受信部５０ＲＤを無効状態とする必要があることから、Ｈ（Ｈｉｇｈ）状態とされる。左上操作受信部５０ＬＵに対応する設定パターン対応制御信号ＣＳｐは、左上操作受信部５０ＬＵを有効状態とする必要があることから、Ｌ（Ｌｏｗ）状態とされる（同前）。左下操作受信部５０ＬＤに対応する設定パターン対応制御信号ＣＳｐは、左下操作受信部５０ＬＤを無効状態とする必要があることから、Ｈ（Ｈｉｇｈ）状態とされる。
【０１１９】
設定パターン対応制御信号発生部３３ｐからの設定パターン対応制御信号ＣＳｐによって、設定ゲート３１は設定パターンのとおりに制御され、操作受信部５０の有効状態／無効状態を制御することが可能となる。つまり、図９（Ｄ）に示すように、左上操作受信部５０ＬＵのみを有効状態とし、他を無効状態として設定することが可能となる。
【０１２０】
本実施の形態では、複合表示装置１ＭＣを構成する表示装置１それぞれを個別に指定（図９（Ｂ）参照）して設定パターン（操作受信部５０の有効状態／無効状態の設定）を形成したが、マルチ画面構成（マルチ画面構成選択メニュー画面ＤＭ１参照）に対応させてそれぞれの表示装置１が有する操作受信部５０に対してオンオフを予め割り当てておくことも可能である。つまり、マルチ画面構成（複合表示装置１ＭＣ）での位置に対応させて、右上操作受信部５０ＲＵ、右下操作受信部５０ＲＤ、左上操作受信部５０ＬＵ、左下操作受信部５０ＬＤに対するオンオフを予め設定しておくことも可能である。
【０１２１】
図１０は、本発明の実施の形態３に係る表示装置を行列２×２で構成した複合表示装置での操作受信部の有効状態／無効状態の設定例を示す正面図であり、（Ａ）は複合表示装置の四隅に対応する各表示装置の操作受信部を有効状態として設定した場合であり、（Ｂ）は（Ａ）の状態に加えて複合表示装置の中央部に対応する各表示装置の操作受信部を有効状態として設定した場合を示す。
【０１２２】
なお、以下では、表示装置１を区別する必要がある場合に、複合識別番号ＤＮ−ｎを用いて表し、例えば表示装置ＤＮー１、ＤＮ−２、・・・のように記載することがある。
【０１２３】
本実施例では、複合表示装置１ＭＣは、表示装置１を行列２×２で並置してあり、複合表示装置１ＭＣの四隅に位置する表示装置ＤＮ−１の左上操作受信部５０ＬＵ、表示装置ＤＮ−２の右上操作受信部５０ＲＵ、表示装置ＤＮ−３の左下操作受信部５０ＬＤ、表示装置ＤＮ−４の左上操作受信部５０ＲＤが有効状態としてある。
【０１２４】
したがって、それぞれの表示装置１は、隣接する他の表示装置１に対して反対側に離れた位置に配置された操作受信部５０を有効状態として設定していることから、遠隔操作端末器９０からの個々の表示装置１に対する操作信号を重複して受信することは無く、操作受信部５０の混同による誤作動の発生を確実に防止することが可能である。
【０１２５】
また、同図（Ｂ）の場合は、複合表示装置１ＭＣの四隅の操作受信部５０に加えて、複合表示装置１ＭＣの中央部に配置された操作受信部５０のいずれも有効状態としてある。つまり、表示装置ＤＮ−１の右下操作受信部５０ＲＤ、表示装置ＤＮ−２の左下操作受信部５０ＬＤ、表示装置ＤＮ−３の右上操作受信部５０ＲＵ、表示装置ＤＮ−４の左上操作受信部５０ＬＵが有効状態としてある。したがって、遠隔操作端末器９０からの操作信号を複合表示装置１ＭＣの中央部へ送信することにより、４台の表示装置１に対して同時に共通の制御、調整を施すことが可能となり、個別の制御、調整に加えて全体の制御、調整を効率的に実行することが可能となる。
【０１２６】
図１１は、本発明の実施の形態３に係る表示装置を行列３×３で構成した複合表示装置での操作受信部の有効状態／無効状態の設定例を示す正面図である。
【０１２７】
本実施例では、複合表示装置１ＭＣは、表示装置１を行列３×３で並置してあり、各表示装置１は、いずれも同じ位置に配置された左上操作受信部５０ＬＵのみを有効状態としてある。
【０１２８】
したがって、それぞれの表示装置１で有効状態とされた操作受信部５０（左上操作受信部５０ＬＵ）は、隣接する他の表示装置１で有効状態とされて操作受信部５０（左上操作受信部５０ＬＵ）に対して互いに可能な範囲で最大距離を維持して配置されていることから、遠隔操作端末器９０からの個々の表示装置１に対する操作信号を重複して受信することは無く、操作受信部５０の混同による誤作動の発生を確実に防止することが可能である。
【０１２９】
図１２は、本発明の実施の形態３に係る表示装置を行列４×４で構成した複合表示装置での操作受信部の有効状態／無効状態の設定例を示す正面図である。
【０１３０】
本実施例は、複合表示装置１ＭＣを構成する表示装置１を行列４×４で構成した点が図１１と異なる。行列数が異なるのみで、その他は図１１の場合と同様である。また、行列をさらに増やして、行列５×５とする場合なども同様とすることが可能であるので詳細な説明は省略する。
【０１３１】
図１３は、本発明の実施の形態３に係る表示装置を行列１×２で構成した複合表示装置での操作受信部の有効状態／無効状態の設定例を示す正面図であり、（Ａ）は複合表示装置の両端に対応する各表示装置の操作受信部を有効状態として設定した場合であり、（Ｂ）は（Ａ）の状態に加えて複合表示装置の中央部に対応する各表示装置の操作受信部を有効状態として設定した場合を示す。
【０１３２】
本実施例では、複合表示装置１ＭＣは、表示装置１を行列１×２で並置してあり、複合表示装置１ＭＣの両端に位置する表示装置ＤＮ−１の左上操作受信部５０ＬＵ、表示装置ＤＮ−２の右上操作受信部５０ＲＵが有効状態としてある。
【０１３３】
したがって、それぞれの表示装置１は、隣接する他の表示装置１に対して反対側に離れた位置に配置された操作受信部５０を有効状態として設定していることから、遠隔操作端末器９０からの個々の表示装置１に対する操作信号を重複して受信することは無く、操作受信部５０の混同による誤作動の発生を確実に防止することが可能である。
【０１３４】
また、同図（Ｂ）の場合は、複合表示装置１ＭＣの両端の操作受信部５０に加えて、複合表示装置１ＭＣの中央部に配置された操作受信部５０のいずれも有効状態としてある。つまり、表示装置ＤＮ−１の右下操作受信部５０ＲＤ、表示装置ＤＮ−２の左下操作受信部５０ＬＤが有効状態としてある。したがって、遠隔操作端末器９０からの操作信号を複合表示装置１ＭＣの中央部へ送信することにより、４台の表示装置１に対して同時に共通の制御、調整を施すことが可能となり、個別の制御、調整に加えて全体の制御、調整を効率的に実行することが可能となる。
【０１３５】
図１４は、本発明の実施の形態３に係る表示装置を行列１×３で構成した複合表示装置での操作受信部の有効状態／無効状態の設定例を示す正面図であり、（Ａ）は各表示装置の同じ位置に配置された操作受信部を有効状態として設定した場合であり、（Ｂ）は各表示装置の同じ位置と異なる位置に配置された操作受信部を有効状態として設定した場合を示す。
【０１３６】
表示装置ＤＮ−１と表示装置ＤＮ−２は、同じ位置に配置された左上操作受信部５０ＬＵを有効状態とし、表示装置ＤＮ−３は、右上操作受信部５０ＲＵを有効状態とした場合である。
【０１３７】
したがって、それぞれの表示装置１は、隣接する他の表示装置１に対して離れた位置に配置された操作受信部５０を有効状態として設定していることから、図１０ないし図１３と同様な作用効果を奏することが可能となる。また、複合表示装置１ＭＣの設置場所に応じた操作受信部５０の設定が可能となる。
【０１３８】
上述したとおり、本実施の形態に係る表示装置１では、設定部３０は、予め設定された設定パターンに対応させて操作受信部５０の有効状態／無効状態を設定する設定パターン対応制御信号ＣＳｐを発生する設定パターン対応制御信号発生部３３ｐを備える。
【０１３９】
したがって、外付け設定手段ＳＷ、隣接検出部４０（隣接対応制御信号発生部３３ｎ）を適用せずに、予め設定した設定パターンに応じて操作受信部５０の有効状態／無効状態を設定できることから、設定パターンに応じた自由度の高い設定を操作受信部５０に対して容易に施すことが可能となる。
【０１４０】
＜実施の形態４＞
図１５ないし図２１に基づいて、実施の形態４に係る表示装置１、複合表示装置１ＭＣについて説明する。
【０１４１】
本実施の形態は、上述したとおり、操作受信部５０の有効状態／無効状態の設定を隣接検出部４０によって検出した表示装置１の配置状態に対応させて実行する形態としたものである。
【０１４２】
図１５は、本発明の実施の形態４に係る表示装置でオンスクリーンディスプレイを適用して隣接検出部適用メニューを選定させる隣接検出部適用メニュー画面を示す説明図である。
【０１４３】
ステップＳ１０６（図３参照）の選択の後、オンスクリーンディスプレイ（ＯＳＤ）を適用して隣接検出部適用メニュー画面ＤＭ４により、隣接検出部適用メニューの選定が実行される。つまり、表示された隣接検出部適用メニュー画面ＤＭ４で、隣接検出部適用メニューの選択を実行するため画面上に配置された選択スイッチ３５のＹＥＳを選択した状態を示してある。なお、上述したとおり、外付け設定手段ＳＷが優先して適用されること、また、隣接検出部４０を有効にするためには、外付け設定手段ＳＷをオフに設定することが必要であることが注意的に表示される。
【０１４４】
図１６は、本発明の実施の形態４に係る表示装置で適用される隣接検出部の機能を説明する説明図表であり、（Ａ）は隣接検出部の位置と検出対象となる表示装置の隣接位置、検出時にオフとする操作受信部との相関を示し、（Ｂ）は隣接する表示装置の有無に対する隣接検出部の出力状態および隣接対応制御信号の出力状態の相関を示す。
【０１４５】
隣接検出部４０は、操作受信部５０に対応させて４箇所に配置してある（図１参照）。つまり、表示装置１は、右上隣接検出部４０ＲＵ、右下隣接検出部４０ＲＤ、左上隣接検出部４０ＬＵ、左下隣接検出部４０ＬＤを備える。
【０１４６】
同図（Ａ）に示すとおり、右上隣接検出部４０ＲＵが検出する検出対象となる表示装置１は、自機に対して右側（正面視で右側。以下同様である。）に配置された表示装置１である。したがって、検出時にオフ対象とする操作受信部５０は、右上操作受信部５０ＲＵである。
【０１４７】
同様に、右下隣接検出部４０ＲＤが検出する検出対象となる表示装置１は、自機に対して下側に配置された表示装置１である。したがって、検出時にオフ対象とする操作受信部５０は、右下操作受信部５０ＲＤである。
【０１４８】
同様に、左上隣接検出部４０ＬＵが検出する検出対象となる表示装置１は、自機に対して上側に配置された表示装置１である。したがって、検出時にオフ対象とする操作受信部５０は、左上操作受信部５０ＬＵである。
【０１４９】
同様に、左下隣接検出部４０ＬＤが検出する検出対象となる表示装置１は、自機に対して左側に配置された表示装置１である。したがって、検出時にオフ対象とする操作受信部５０は、左下操作受信部５０ＬＤである。
【０１５０】
同図（Ｂ）に示すとおり、隣接する表示装置１の有無に対して、隣接検出部４０の検出結果、隣接対応制御信号ＣＳｎの出力状態は次のとおりである。
【０１５１】
つまり、表示装置１が有る場合は、隣接検出部４０はオン（検出）状態となり、隣接対応制御信号ＣＳｎは、Ｈ（Ｈｉｇｈ）状態とされる。したがって、操作受信部５０は、無効状態に設定される。表示装置１が無い場合は、隣接検出部４０はオフ（非検出）状態となり、隣接対応制御信号ＣＳｎは、Ｌ（Ｌｏｗ）状態とされる。したがって、操作受信部５０は、有効状態に設定される。
【０１５２】
図１７は、本発明の実施の形態４に係る表示装置で隣接検出部を適用して操作受信部の有効状態／無効状態を設定した場合の処理フローを示すフローチャートである。
【０１５３】
図１８Ａは、図１７で示したフローチャートに伴う操作受信部の設定状態を説明する説明図であり、右上操作受信部を無効状態とした場合を示す正面図である。
【０１５４】
図１８Ｂは、図１７で示したフローチャートに伴う操作受信部の設定状態を説明する説明図であり、右下操作受信部を無効状態とした場合を示す正面図である。
【０１５５】
図１８Ｃは、図１７で示したフローチャートに伴う操作受信部の設定状態を説明する説明図であり、左上操作受信部を無効状態とした場合を示す正面図である。
【０１５６】
図１８Ｄは、図１７で示したフローチャートに伴う操作受信部の設定状態を説明する説明図であり、左下操作受信部を無効状態とした場合を示す正面図である。
【０１５７】
なお、図１８Ａないし図１８Ｄでは、理解の容易さを考慮して隣接する表示装置１は、単一の方向（上下左右の内いずれか一つ）のみに配置された場合を想定して説明する。
【０１５８】
表示装置１が複数並置されて複合表示装置１ＭＣが形成され、隣接検出部４０による操作受信部５０の有効状態／無効状態の設定が選択される（図１５参照）と、次のステップＳ４０１ないしステップＳ４１１の処理フローが制御部１０の制御によって実行される。つまり、表示装置１が備える隣接検出部４０によって、隣接する表示装置１が検出される。隣接検出部４０の検出結果に基づいて操作受信部５０は有効状態／無効状態を設定される（操作受信部状態設定過程）。なお、図１７の各ステップの説明に併せて対応する図１８Ａないし図１８Ｄの説明を行なう。
【０１５９】
ステップＳ４０１：
隣接検出部４０の検出結果を読み込む。つまり、隣接検出部４０がオンオフいずれの状態となったかの読み込みを開始する。
【０１６０】
ステップＳ４０２：
右上隣接検出部４０ＲＵはオンか否かを判断する。オン状態の場合（ステップＳ４０２：ＹＥＳ）は、ステップＳ４０３へ移行する。オン状態でない場合、つまり隣接する表示装置１が無く、オフ状態の場合（ステップＳ４０２：ＮＯ）は、ステップＳ４０４へ移行する。
【０１６１】
ステップＳ４０３：
右側に隣接する表示装置１が存在することから右上操作受信部５０ＲＵは無効状態に設定される。つまり、隣接検出部駆動手段４１ｍに駆動された右上隣接検出部４０ＲＵはオン状態となる。これに伴い、隣接対応制御信号発生部３３ｎは、発生する隣接対応制御信号ＣＳｎをＨ（Ｈｉｇｈ）状態として設定ゲート３１を閉状態とし、右上隣接検出部４０ＲＵに対応する右上操作受信部５０ＲＵを無効状態に設定する。
【０１６２】
したがって、図１８Ａに示すとおり、右上操作受信部５０ＲＵは無効状態とされ、隣接検出部４０によって隣接する表示装置１が検出されていない他の操作受信部５０は有効状態とされる。
【０１６３】
ステップＳ４０４：
右下隣接検出部４０ＲＤはオンか否かを判断する。オン状態の場合（ステップＳ４０４：ＹＥＳ）は、ステップＳ４０５へ移行する。オン状態でない場合、つまり隣接する表示装置１が無く、オフ状態の場合（ステップＳ４０４：ＮＯ）は、ステップＳ４０６へ移行する。
【０１６４】
ステップＳ４０５：
下側に隣接する表示装置１が存在することから右下操作受信部５０ＲＤは無効状態に設定される。つまり、隣接検出部駆動手段４１ｍに駆動された右下隣接検出部４０ＲＤはオン状態となる。これに伴い、隣接対応制御信号発生部３３ｎは、発生する隣接対応制御信号ＣＳｎをＨ（Ｈｉｇｈ）状態として設定ゲート３１を閉状態とし、右下隣接検出部４０ＲＤに対応する右下操作受信部５０ＲＵを無効状態に設定する。
【０１６５】
したがって、図１８Ｂに示すとおり、右下操作受信部５０ＲＤは無効状態とされ、隣接検出部４０によって隣接する表示装置１が検出されていない他の操作受信部５０は有効状態とされる。
【０１６６】
ステップＳ４０６：
左上隣接検出部４０ＬＵはオンか否かを判断する。オン状態の場合（ステップＳ４０６：ＹＥＳ）は、ステップＳ４０７へ移行する。オン状態でない場合、つまり隣接する表示装置１が無く、オフ状態の場合（ステップＳ４０６：ＮＯ）は、ステップＳ４０８へ移行する。
【０１６７】
ステップＳ４０７：
上側に隣接する表示装置１が存在することから左上操作受信部５０ＬＵは無効状態に設定される。つまり、隣接検出部駆動手段４１ｍに駆動された左上隣接検出部４０ＬＵはオン状態となる。これに伴い、隣接対応制御信号発生部３３ｎは、発生する隣接対応制御信号ＣＳｎをＨ（Ｈｉｇｈ）状態として設定ゲート３１を閉状態とし、左上隣接検出部４０ＬＵに対応する左上操作受信部５０ＬＵを無効状態に設定する。
【０１６８】
したがって、図１８Ｃに示すとおり、左上操作受信部５０ＬＵは無効状態とされ、隣接検出部４０によって隣接する表示装置１が検出されていない他の操作受信部５０は有効状態とされる。
【０１６９】
ステップＳ４０８：
左下隣接検出部４０ＬＤはオンか否かを判断する。オン状態の場合（ステップＳ４０８：ＹＥＳ）は、ステップＳ４０９へ移行する。オン状態でない場合、つまり隣接する表示装置１が無く、オフ状態の場合（ステップＳ４０８：ＮＯ）は、ステップＳ４１０へ移行する。
【０１７０】
ステップＳ４０９：
左側に隣接する表示装置１が存在することから左下操作受信部５０ＬＤは無効状態に設定される。つまり、隣接検出部駆動手段４１ｍに駆動された左下隣接検出部４０ＬＤはオン状態となる。これに伴い、隣接対応制御信号発生部３３ｎは、発生する隣接対応制御信号ＣＳｎをＨ（Ｈｉｇｈ）状態として設定ゲート３１を閉状態とし、左下隣接検出部４０ＬＤに対応する左下操作受信部５０ＬＤを無効状態に設定する。
【０１７１】
したがって、図１８Ｄに示すとおり、左下操作受信部５０ＬＤは無効状態とされ、隣接検出部４０によって隣接する表示装置１が検出されていない他の操作受信部５０は有効状態とされる。
【０１７２】
ステップＳ４１０：
全ての隣接検出部４０（右上隣接検出部４０ＲＵ、右下隣接検出部４０ＲＤ、左上隣接検出部４０ＬＵ、左下隣接検出部４０ＬＤ）がオンか否かを判断する。全ての隣接検出部４０がオンの場合（ステップＳ４１０：ＹＥＳ）は、ステップＳ４１１へ移行する。
【０１７３】
ステップＳ４１１：
全ての隣接検出部４０が隣接する表示装置１を検出した状態であり、上下左右の周囲全てに表示装置１が配置してある状態となっている。この状態では、全ての操作受信部５０は無効状態となっている。しかし、そのままでは操作受信部５０に対して遠隔操作端末器９０による操作を実行することができない状態となる。
【０１７４】
したがって、全ての操作受信部５０が無効状態となっている場合には、隣接検出部４０による設定を解除して特定された操作受信部５０（例えば、左上操作受信部５０ＬＵ）を強制的に有効状態に設定する。
【０１７５】
上述したとおり、本実施の形態に係る表示装置１では、設定部３０は、操作受信部５０のそれぞれに対応させて配置され隣接する他の表示装置１の存在を検出する隣接検出部４０と、隣接検出部４０の検出結果に対応させて操作受信部５０の有効状態／無効状態を設定する隣接対応制御信号ＣＳｎを発生する隣接対応制御信号発生部３３ｎとを備える。
【０１７６】
したがって、隣接検出部４０によって容易かつ確実に隣接する表示装置１を検出し、それぞれの操作受信部５０の有効状態／無効状態を自動的に設定することが可能となることから、複数の操作受信部５０を備える表示装置１を複数並置して複合表示装置１とした場合に、隣接する表示装置１相互間での操作受信部５０の混同による誤動作を防止することができる。
【０１７７】
また、本実施の形態に係る表示装置１では、隣接検出部４０による検出結果によって操作受信部５０の全てが無効状態とされる場合に、設定部３０は、操作受信部５０の少なくとも一つを特定して有効状態に設定する構成としてある。
【０１７８】
したがって、上下左右の全方向に表示装置１が隣接して配置された場合に、少なくとも一つの操作受信部５０を有効状態にできることから、周囲を表示装置１に囲まれた表示装置１の操作受信部５０を確実に機能させることが可能となり、操作性の良い表示装置１とすることができる。
【０１７９】
図１９は、本発明の実施の形態４に係る表示装置を行列２×２で構成した複合表示装置での操作受信部の有効状態／無効状態の設定例を示す正面図である。
【０１８０】
表示装置１を２行２列で並置して複合表示装置１ＭＣを構成したものである。
【０１８１】
表示装置ＤＮ−１では、右側、下側に隣接する表示装置１の存在によって隣接検出部４０（右上隣接検出部４０ＲＵ、右下隣接検出部４０ＲＤ）による検出がなされることから、操作受信部５０（右上操作受信部５０ＲＵ、右下操作受信部５０ＲＤ）が無効状態に設定される。つまり、左上操作受信部５０ＬＵ、左下操作受信部５０ＬＤが有効状態に設定される。
【０１８２】
表示装置ＤＮ−２では、左側、下側に隣接する表示装置１の存在によって隣接検出部４０（左下隣接検出部４０ＬＤ、右下隣接検出部４０ＲＤ）による検出がなされることから、操作受信部５０（左下操作受信部５０ＬＤ、右下操作受信部５０ＲＤ）が無効状態に設定される。つまり、左上操作受信部５０ＬＵ、右上操作受信部５０ＲＵが有効状態に設定される。
【０１８３】
表示装置ＤＮ−３では、右側、上側に隣接する表示装置１の存在によって隣接検出部４０（右上隣接検出部４０ＲＵ、左上隣接検出部４０ＬＵ）による検出がなされることから、操作受信部５０（右上操作受信部５０ＲＵ、左上操作受信部５０ＬＵ）が無効状態に設定される。つまり、左下操作受信部５０ＬＤ、右下操作受信部５０ＲＤが有効状態に設定される。
【０１８４】
表示装置ＤＮ−４では、左側、上側に隣接する表示装置１の存在によって隣接検出部４０（左下隣接検出部４０ＬＤ、左上隣接検出部４０ＬＵ）による検出がなされることから、操作受信部５０（左下操作受信部５０ＬＤ、左上操作受信部５０ＬＵ）が無効状態に設定される。つまり、右上操作受信部５０ＲＵ、右下操作受信部５０ＲＤが有効状態に設定される。
【０１８５】
したがって、隣接する表示装置１相互間で、有効状態とされた操作受信部５０が隣接することは無くなる。つまり、複数の操作受信部５０を備える表示装置１を複数並置して複合表示装置１とした場合に、隣接する表示装置１相互間での操作受信部５０の混同による誤動作を防止することができる。
【０１８６】
図２０は、本発明の実施の形態４に係る表示装置を行列２×３で構成した複合表示装置での操作受信部の有効状態／無効状態の設定例を示す正面図である。
【０１８７】
表示装置１を２行３列で並置して複合表示装置１ＭＣを構成したものである。
【０１８８】
表示装置ＤＮ−１、表示装置ＤＮ−３、表示装置ＤＮ−４、表示装置ＤＮ−６は、図１９での表示装置ＤＮ−１、表示装置ＤＮ−２、表示装置ＤＮ−３、表示装置ＤＮ−４と同様の状態となっているので説明は省略する。
【０１８９】
表示装置ＤＮ−２では、右側、左側、下側に隣接する表示装置１の存在によって隣接検出部４０（右上隣接検出部４０ＲＵ、右下隣接検出部４０ＲＤ、左下隣接検出部４０ＬＤ）による検出がなされることから、操作受信部５０（右上操作受信部５０ＲＵ、右下操作受信部５０ＲＤ、左下操作受信部５０ＬＤ）が無効状態に設定される。つまり、左上操作受信部５０ＬＵが有効状態に設定される。
【０１９０】
表示装置ＤＮ−５では、右側、左側、上側に隣接する表示装置１の存在によって隣接検出部４０（右上隣接検出部４０ＲＵ、左下隣接検出部４０ＬＤ、左上隣接検出部４０ＬＵ）による検出がなされることから、操作受信部５０（右上操作受信部５０ＲＵ、左下操作受信部５０ＬＤ、左上操作受信部５０ＬＵ）が無効状態に設定される。つまり、右下操作受信部５０ＲＤが有効状態に設定される。
【０１９１】
したがって、隣接する表示装置１相互間で、有効状態とされた操作受信部５０が隣接することは無くなる。つまり、複数の操作受信部５０を備える表示装置１を複数並置して複合表示装置１とした場合に、隣接する表示装置１相互間での操作受信部５０の混同による誤動作を防止することができる。
【０１９２】
図２１は、本発明の実施の形態４に係る表示装置を行列３×３で構成した複合表示装置での操作受信部の有効状態／無効状態の設定例を示す正面図である。
【０１９３】
表示装置１を３行３列で並置して複合表示装置１ＭＣを構成したものである。
【０１９４】
表示装置ＤＮ−１ないし表示装置ＤＮ−３、表示装置ＤＮ−７ないし表示装置ＤＮ−９は、図２０での表示装置ＤＮ−１ないし表示装置ＤＮ−３、表示装置ＤＮ−４ないし表示装置ＤＮ−６と同様の状態となっているので説明は省略する。
【０１９５】
表示装置ＤＮ−４では、右側、上側、下側に隣接する表示装置１の存在によって隣接検出部４０（右上隣接検出部４０ＲＵ、左上隣接検出部４０ＬＵ、右下隣接検出部４０ＲＤ）による検出がなされることから、操作受信部５０（右上操作受信部５０ＲＵ、左上操作受信部５０ＬＵ、右下操作受信部５０ＲＤ）が無効状態に設定される。つまり、左下操作受信部５０ＬＤが有効状態に設定される。
【０１９６】
表示装置ＤＮ−５では、周囲を全て表示装置１で囲まれていることから、全ての操作受信部５０は無効状態とされる。しかし、上述したとおり、特定の操作受信部５０を有効状態として設定した状態を示す。つまり、左上操作受信部５０ＬＵを有効状態としてある。したがって、表示装置ＤＮ−５に対しても遠隔操作端末器９０による操作信号に基づく操作を実行することが可能となる。
【０１９７】
表示装置ＤＮ−６では、左側、上側、下側に隣接する表示装置１の存在によって隣接検出部４０（左下隣接検出部４０ＬＤ、左上隣接検出部４０ＬＵ、右下隣接検出部４０ＲＤ）による検出がなされることから、操作受信部５０（左下操作受信部５０ＬＤ、左上操作受信部５０ＬＵ、右下操作受信部５０ＲＤ）が無効状態に設定される。つまり、右上操作受信部５０ＲＵが有効状態に設定される。
【０１９８】
なお、実施の形態３の場合と同様、本実施の形態でも行列数をさらに増やすことが可能であり、行列５×５とする場合なども同様とすることが可能である。この場合でも、隣接検出部４０、操作受信部５０の状態は図２１の場合と同様であるので詳細な説明は省略する。
【０１９９】
＜実施の形態５＞
本実施の形態は、実施の形態１ないし実施の形態４で開示した表示装置１を複数適用して構成した複合表示装置１ＭＣで映像状態を調整する映像状態調整方法に関する。
【０２００】
つまり、本実施の形態に係る映像状態調整方法は、映像信号を処理して表示部１２に表示させる映像処理部１１と、無線により遠隔操作端末器９０から送信された操作信号を受信する複数の操作受信部５０と、操作受信部５０のそれぞれに対応して接続され操作受信部５０の有効状態／無効状態を設定する設定部３０と、映像処理部１１、操作受信部５０、設定部３０を制御する制御部１０とを備える表示装置１を複数並置して構成した複合表示装置１ＭＣの映像状態を調整する映像状態調整方法である。
【０２０１】
また、本実施の形態に係る映像状態調整方法では、設定部３０を機能させて操作受信部５０それぞれの有効状態／無効状態を設定する操作受信部状態設定過程（例えば、実施の形態２での図７の処理フロー、実施の形態３での図８のステップＳ３０５、実施の形態４での図１７の処理フロー参照。）と、有効状態に設定された操作受信部５０に対して遠隔操作端末器９０から操作信号を送信することによって映像状態を調整する映像状態調整過程とを備える。
【０２０２】
したがって、複数配置された操作受信部５０の有効状態／無効状態を設定した後に映像状態の調整を実行することから、操作受信部５０の混合による誤動作を防止することが可能となることから、容易かつ正確に映像状態の調整を実行することができる。
【０２０３】
なお、映像状態の調整例として、例えば１台ごとの画質調整、色調整などが有る。
【図面の簡単な説明】
【０２０４】
【図１】本発明の実施の形態１に係る表示装置の外観概要を示す正面図である。
【図２】本発明の実施の形態１に係る表示装置のブロック構成概略を示すブロック図である。
【図３】本発明の実施の形態１に係る表示装置で実行する操作受信部の有効状態／無効状態を設定する場合の適用シーケンスの選択フローを示すフローチャートである。
【図４】本発明の実施の形態１に係る表示装置で操作受信部の有効状態／無効状態を設定する設定部を説明する説明図であり、（Ａ）は設定部の概略構成ブロックを示すブロック図、（Ｂ）は設定部での信号状況を示す信号図表である。
【図５】本発明の実施の形態２に係る表示装置で外付け設定手段を適用して操作受信部の有効状態／無効状態を設定する設定部のブロック構成概略を示すブロック図である。
【図６】本発明の実施の形態２に係る表示装置で外付け設定手段を適用して操作受信部の有効状態／無効状態を設定する場合での外付け設定手段と操作受信部の相関状態を概念的に示す正面図である。
【図７】本発明の実施の形態２に係る表示装置で外付け設定手段を適用して操作受信部の有効状態／無効状態を設定する場合の処理フローを示すフローチャートである。
【図８】本発明の実施の形態３に係る表示装置でオンスクリーンディスプレイを適用して設定パターンを選択して操作受信部の有効状態／無効状態を設定する場合の処理フローを示すフローチャートである。
【図９】図８に示したフローチャートに伴う処理状態を説明する説明図であり、（Ａ）はマルチ画面構成を選択するマルチ画面構成選択メニュー画面、（Ｂ）は設定対象表示装置を選択する設定対象表示装置選択メニュー画面、（Ｃ）は設定対象表示装置に対する操作受信部の有効状態／無効状態を選択させる設定パターン指定メニュー画面、（Ｄ）は設定パターンに基づいて有効状態／無効状態を設定された表示装置を示す正面図である。
【図１０】本発明の実施の形態３に係る表示装置を行列２×２で構成した複合表示装置での操作受信部の有効状態／無効状態の設定例を示す正面図であり、（Ａ）は複合表示装置の四隅に対応する各表示装置の操作受信部を有効状態として設定した場合であり、（Ｂ）は（Ａ）の状態に加えて複合表示装置の中央部に対応する各表示装置の操作受信部を有効状態として設定した場合を示す。
【図１１】本発明の実施の形態３に係る表示装置を行列３×３で構成した複合表示装置での操作受信部の有効状態／無効状態の設定例を示す正面図である。
【図１２】本発明の実施の形態３に係る表示装置を行列４×４で構成した複合表示装置での操作受信部の有効状態／無効状態の設定例を示す正面図である。
【図１３】本発明の実施の形態３に係る表示装置を行列１×２で構成した複合表示装置での操作受信部の有効状態／無効状態の設定例を示す正面図であり、（Ａ）は複合表示装置の両端に対応する各表示装置の操作受信部を有効状態として設定した場合であり、（Ｂ）は（Ａ）の状態に加えて複合表示装置の中央部に対応する各表示装置の操作受信部を有効状態として設定した場合を示す。
【図１４】本発明の実施の形態３に係る表示装置を行列１×３で構成した複合表示装置での操作受信部の有効状態／無効状態の設定例を示す正面図であり、（Ａ）は各表示装置の同じ位置に配置された操作受信部を有効状態として設定した場合であり、（Ｂ）は各表示装置の同じ位置と異なる位置に配置された操作受信部を有効状態として設定した場合を示す。
【図１５】本発明の実施の形態４に係る表示装置でオンスクリーンディスプレイを適用して隣接検出部適用メニューを選定させる隣接検出部適用メニュー画面を示す説明図である。
【図１６】本発明の実施の形態４に係る表示装置で適用される隣接検出部の機能を説明する説明図表であり、（Ａ）は隣接検出部の位置と検出対象となる表示装置の隣接位置、検出時にオフとする操作受信部との相関を示し、（Ｂ）は隣接する表示装置の有無に対する隣接検出部の出力状態および隣接対応制御信号の出力状態の相関を示す。
【図１７】本発明の実施の形態４に係る表示装置で隣接検出部を適用して操作受信部の有効状態／無効状態を設定した場合の処理フローを示すフローチャートである。
【図１８Ａ】図１７で示したフローチャートに伴う操作受信部の設定状態を説明する説明図であり、右上操作受信部を無効状態とした場合を示す正面図である。
【図１８Ｂ】図１７で示したフローチャートに伴う操作受信部の設定状態を説明する説明図であり、右下操作受信部を無効状態とした場合を示す正面図である。
【図１８Ｃ】図１７で示したフローチャートに伴う操作受信部の設定状態を説明する説明図であり、左上操作受信部を無効状態とした場合を示す正面図である。
【図１８Ｄ】図１７で示したフローチャートに伴う操作受信部の設定状態を説明する説明図であり、左下操作受信部を無効状態とした場合を示す正面図である。
【図１９】本発明の実施の形態４に係る表示装置を行列２×２で構成した複合表示装置での操作受信部の有効状態／無効状態の設定例を示す正面図である。
【図２０】本発明の実施の形態４に係る表示装置を行列２×３で構成した複合表示装置での操作受信部の有効状態／無効状態の設定例を示す正面図である。
【図２１】本発明の実施の形態４に係る表示装置を行列３×３で構成した複合表示装置での操作受信部の有効状態／無効状態の設定例を示す正面図である。
【図２２】従来の表示装置での操作受信部の配置状態を示し、（Ａ）は２箇所に操作受信部を配置した状態、（Ｂ）は４箇所に操作受信部を配置した状態を示す正面図である。
【図２３】従来の表示装置を複数（４台）並置して構成した複合表示装置を示す正面図である。
【符号の説明】
【０２０５】
１  表示装置
１ＭＣ  複合表示装置
１０  制御部
１１  映像処理部
１２  表示部
２０  記憶部
３０  設定部
３１  設定ゲート
３１ｔ  制御端子
３２  バイアス抵抗
３３  制御信号発生部
３３ｎ  隣接対応制御信号発生部
３３ｐ  設定パターン対応制御信号発生部
３４  選択スイッチ
３５  選択スイッチ
４０  隣接検出部
４０ＲＵ  右上隣接検出部
４０ＲＤ  右下隣接検出部
４０ＬＵ  左上隣接検出部
４０ＬＤ  左下隣接検出部
４１ｍ  隣接検出部駆動手段
５０  操作受信部
５０ＲＵ  右上操作受信部（操作受信部）
５０ＲＤ  右下操作受信部（操作受信部）
５０ＬＵ  左上操作受信部（操作受信部）
５０ＬＤ  左下操作受信部（操作受信部）
９０  遠隔操作端末器
ＢＳ  バス
ＣＳ  制御信号
ＣＳｎ  隣接対応制御信号
ＣＳｐ  設定パターン対応制御信号
ＤＭ１  マルチ画面構成選択メニュー画面
ＤＭ２  設定対象表示装置選択メニュー画面
ＤＭ３  設定パターン指定メニュー画面
ＤＭ４  隣接検出部適用メニュー画面
ＩＲ  赤外信号光
ＳＷ  外付け設定手段
ＳＷ・ＲＵ  右上外付け設定手段（外付け設定手段）
ＳＷ・ＲＤ  右下外付け設定手段（外付け設定手段）
ＳＷ・ＬＵ  左上外付け設定手段（外付け設定手段）
ＳＷ・ＬＤ  左下外付け設定手段（外付け設定手段）
【図１】
0005159266.tif 000002
【図２】
0005159266.tif 000003
【図３】
0005159266.tif 000004
【図４】
0005159266.tif 000005
【図５】
0005159266.tif 000006
【図６】
0005159266.tif 000007
【図７】
0005159266.tif 000008
【図８】
0005159266.tif 000009
【図９】
0005159266.tif 000010
【図１０】
0005159266.tif 000011
【図１１】
0005159266.tif 000012
【図１２】
0005159266.tif 000013
【図１３】
0005159266.tif 000014
【図１４】
0005159266.tif 000015
【図１５】
0005159266.tif 000016
【図１６】
0005159266.tif 000017
【図１７】
0005159266.tif 000018
【図１８Ａ】
0005159266.tif 000019
【図１８Ｂ】
0005159266.tif 000020
【図１８Ｃ】
0005159266.tif 000021
【図１８Ｄ】
0005159266.tif 000022
【図１９】
0005159266.tif 000023
【図２０】
0005159266.tif 000024
【図２１】
0005159266.tif 000025
【図２２】
0005159266.tif 000026
【図２３】
0005159266.tif 000027